(57)【要約】【目的】  鉄骨などの金属部材を取り扱う高所の現場では、巻尺が磁着固定できることが落下防止の観点から極めて有効であり、従って、巻尺を水平方向あるいは鉛直方向に有する磁着可能な金属部材に磁着でき、且つ磁着面に多少の凹凸がある場合でも磁着できる巻尺を提供することを目的とする。【解決手段】  第１の態様として、ケース１の底壁２と後壁３のそれぞれに、外向面６１がプレート端部７１より後退した状態でヨークプレート７に挟まれたマグネット６を設け、また、ヨークプレート７のプレート端部７１をケース１の短手方向の略両端に位置させ、且つそのプレート端部７１をケース１とほぼ面一にまたはケース１より突出させて設ける。【選択図】  図１
2005164484.tif 000002
【特許請求の範囲】
【請求項１】
ケース内に立設する軸に、テープを周囲に巻回する回転ドラムを軸支し、この回転ドラムにテープを巻き込み方向に付勢する付勢手段を備えた巻尺において、ケースの底壁および／または後壁に、ヨークプレートに挟まれたマグネットが設けられており、そのマグネットの外向面はヨークプレートのプレート端部よりケース内方に後退していることを特徴とする巻尺
【請求項２】
前記ヨークプレートのプレート端部は、ケースとほぼ面一またはケースより突出していることを特徴とする請求項１の巻尺
【請求項３】
前記底壁にマグネットが設けられた時、そのヨークプレートのプレート端部は底壁と平行に設けられ、また、後壁にマグネットが設けられた時、そのヨークプレートのプレート端部は底壁と直角に設けられていることを特徴とする請求項１の巻尺
【請求項４】
前記マグネットがケースの前壁および／または天壁に設けられていることを特徴とする請求項１の巻尺
【請求項５】
ケース内に立設する軸に、テープを周囲に巻回する回転ドラムを軸支し、この回転ドラムにテープを巻き込み方向に付勢する付勢手段を備えた巻尺において、巻尺にマグネットが付属されており、そのマグネットがケースの底壁および／または後壁に着脱自在に装着できることを特徴とする巻尺
【請求項６】
前記底壁および／または後壁にはマグネットが装着された際にマグネットと接触するヨークプレートが設けられており、そのヨークプレートのプレート端部はケースとほぼ面一にまたはケースより突出し、また、マグネットはその外向面がヨークプレートのプレート端部より後退して装着されることを特徴とする請求項５の巻尺
【請求項７】
前記底壁にヨークプレートが設けられた時、そのヨークプレートのプレート端部は底壁と平行に設けられ、また、後壁にヨークプレートが設けられた時、そのヨークプレートのプレート端部は底壁と直角に設けられていることを特徴とする請求項６の巻尺
【請求項８】
前記マグネットにはヨークプレートが設けられており、そのヨークプレートのプレート端部は、マグネットの装着面の両側からマグネットの端部より突出して設けられていることを特徴とする請求項５の巻尺
【請求項９】
前記底壁にマグネットが装着された時、そのヨークプレートのプレート端部は底壁と平行になり、また、後壁にマグネットが装着された時、そのヨークプレートのプレート端部は底壁と直角になることを特徴とする請求項８の巻尺
【請求項１０】
前記マグネットの底壁および後壁への装着は、ケースの底壁と後壁の境界に設けられたそれぞれの装着部へ続く案内口からスライドさせて装着することを特徴とする請求項５の巻尺
【請求項１１】
前記マグネットが前壁および／または天壁に装着できることを特徴とする請求項５の巻尺
【請求項１２】
ケース内に立設する軸に、テープを周囲に巻回する回転ドラムを軸支する巻尺において、マグネットがその一端をケースの底壁と後壁の境界に軸支され、且つそのマグネットは軸を中心に回転して底壁または後壁と着脱自在に係着することを特徴とする巻尺
【請求項１３】
前記底壁および／または後壁にはマグネットが係着された際にマグネットと接触するヨークプレートが設けられており、そのヨークプレートのプレート端部はケースとほぼ面一にまたはケースより突出し、また、マグネットはその外向面がヨークプレートのプレート端部より後退して装着されることを特徴とする請求項１２の巻尺
【請求項１４】
前記底壁にヨークプレートが設けられた時、そのヨークプレートのプレート端部は底壁と平行に設けられ、また、後壁にヨークプレートが設けられた時、そのヨークプレートのプレート端部は底壁と直角に設けられていることを特徴とする請求項１３の巻尺
【請求項１５】
前記マグネットにはヨークプレートが設けられており、そのヨークプレートのプレート端部は、マグネットの係着面の両側からマグネットのそれぞれの係着面の端部より突出して設けられていることを特徴とする請求項１２の巻尺
【請求項１６】
前記底壁にマグネットが係着された時、そのヨークプレートのプレート端部は底壁と平行になり、また、後壁にマグネットが係着された時、そのヨークプレートのプレート端部は底壁と直角になることを特徴とする請求項１５の巻尺
【請求項１７】
第２のマグネットがその一端をケースの前壁と天壁の境界に軸支され、且つその第２のマグネットは軸を中心に回転して前壁または天壁と着脱自在に係着することを特徴とする請求項１２の巻尺
【請求項１８】
前記ヨークプレートがコ字状であると共に、少なくともその中央部がマグネットと接することを特徴とする請求項１または請求項６または請求項８または請求項１３または請求項１５の巻尺
【請求項１９】
前記ヨークプレートのプレート端部が凹凸状になっていることを特徴とする請求項１または請求項６または請求項８または請求項１３または請求項１５の巻尺
【請求項２０】
前記ヨークプレートは、プレート端部を有するプレートが複数連接されて成っており、且つその連接部分には適当な隙間が開けられていることを特徴とする請求項１または請求項６または請求項８または請求項１３または請求項１５の巻尺
【請求項２１】
前記マグネットは平板状であることを特徴とする請求項１または請求項６または請求項８または請求項１３または請求項１５の巻尺
【発明の詳細な説明】
【技術分野】
【０００１】
本発明は、巻尺に関し、特にケースを磁着可能な金属部材に磁着固定するためのマグネットが設けられている巻尺に関するものである。
【背景技術】
【０００２】
巻尺は、その基本機能である測定を如何にやり易くするために、日々改善が行われている。特に、測定用のテープを自動的に巻き取る自動巻取式のもは小型で携帯性に優れているので多種多用な現場で用いられており、このことから、製造する側も、より扱い易くそして安全に使用することができる巻尺を提供しようと努力している。
【０００３】
結果、巻尺は使用される現場すなわち使用する者を選ぶことなく多くの人がオールマイティに選ぶことができる機能を持って提供されている。
その中で、従来、巻尺本体となるケースを鉄部材等の金属部材の上に置いた状態でテープを繰り出し固定して測定する際、ケースを安定よく置けるようにと、ケースの底面にマグネットを設けて、その磁力によってケースを鉄部材に固定できるようにされたものもあった。
【発明の開示】
【発明が解決しようとする課題】
【０００４】
このマグネットをケースの底面に設けているものは、金属部材をその職者巻尺を磁着可能な金属部材の上で使用する時にはこのような機能があったら便利であるという発想から提供されたものであり、単にケースの底面に適当なマグネットを取り付けているだけであった。このため、ケースを固定する形態が限られており、すなわち、ケースを磁着可能な平滑面の金属部材の上に置いた時にのみ安全にケースを金属部材の上に固定することができただけなので、この巻尺はいつしか消え去ってしまった。
【０００５】
しかして、鉄骨などの金属部材を取り扱う現場では、磁力によってケースを鉄部材に固定できる巻尺は作業性に優れ、また、ビル建設等の鉄骨組立現場で使用する場合すなわち高所で使用する際は落下防止の観点から極めて有効に機能するものであるということが現場の聞き取りによって新たに判明した。
従って、本発明は上述した問題点に鑑みてなされたものであり、巻尺を水平方向あるいは鉛直方向に有する磁着可能な金属部材に磁着でき、且つ磁着面に多少の凹凸がある場合でも磁着できる巻尺を提供することを目的とするものである。
【課題を解決するための手段】
【０００６】
本発明の要旨とするところの第１の態様は、ケース内に立設する軸に、テープを周囲に巻回する回転ドラムを軸支し、この回転ドラムにテープを巻き込み方向に付勢する付勢手段を備えた巻尺において、ケースの底壁および／または後壁に、ヨークプレートに挟まれたマグネットが設けられており、そのマグネットの外向面はヨークプレートのプレート端部よりケース内方に後退していることを特徴とする巻尺である。
【０００７】
第２の態様は、ケース内に立設する軸に、テープを周囲に巻回する回転ドラムを軸支し、この回転ドラムにテープを巻き込み方向に付勢する付勢手段を備えた巻尺において、巻尺にマグネットが付属されており、そのマグネットがケースの底壁および／または後壁に着脱自在に装着できることを特徴とする巻尺である。
【０００８】
第３の態様は、ケース内に立設する軸に、テープを周囲に巻回する回転ドラムを軸支する巻尺において、マグネットがその一端をケースの底壁と後壁の境界に軸支され、且つそのマグネットは軸を中心に回転して底壁または後壁と着脱自在に係着することを特徴とする巻尺である。
【０００９】
本発明の巻尺を詳しく説明すると、ケースとは、普通左右の半ケースが合わされてなる測定用のテープを収容する部材であり巻尺の本体でもある。また、ケースは、中央ケースと右側ケースおよび左側ケースの３ピース構造のケースもある。説明では上述全ての形態を含めてケースと呼ぶものとする。
【００１０】
ケースは、樹脂素材あるいは金属素材から形成されており、そのケース内の側壁に軸が立設され、その軸にメモリが印刷された測定用のテープを周囲に巻回した回転ドラムが軸支されている。また、その回転ドラムの内部にはテープを巻き取るためのコイル状の巻き取りバネが設けられており、テープは巻き取り方向に付勢されている。
【００１１】
テープは、ケースの下方に設けられているテープ出入口から出入りしており、また、テープの巻き取り終了の際にはテープ先端に有する係止片がテープ出入口に係止することにより、テープのケース内への引き込まれが阻止される。また、テープ出入口には係止片の衝突エネルギーを緩和（吸収作用も含む）する衝撃緩衝部材が設けられているのが普通である。
【００１２】
そのテープ出入口が設けられている壁がケースの前壁であり、前壁はテープ出入口から上方に立ち上がってケースの頂部に至る。その頂部を境に立ち下がる壁がケースの後壁となり、後壁の下方部と前壁の下方部を結ぶ壁がケースの底壁である。そして、各壁の同一側を結ぶ壁がケースの側壁である。しかして、ケースによっては前壁の上方部と後壁の上方部を結ぶ天壁を有するケースもある。
【００１３】
マグネットとは、磁力を有する部材であり、マグネット単体は勿論のことマグネットに付属部材が設けらている形態のものを含めてマグネットと呼ぶ。付属部材とは、例えば、マグネットの保護や支持、マグネットをケースへ取り付ける際に有効となるマグネットとは別に設けられている部材である。時に、その付属部材がマグネットまたはケースの取り付け部位に対応した形状になっている。
【００１４】
そして、マグネットはケースに配置されて磁着可能な金属に磁着した際に、磁着による固定が簡単に外れない程度に着磁されたマグネットを用いなければならない。具体的には、ケースを磁着面と平行に引き離そうとした時、容易に離すことができないものがよい。マグネットの素材も特に限定するものではなく、好適な素材によって形成したり、市販のマグネットを利用すればよく、また、用いる数も一個であっても、また、複数個であってもよい。マグネットの形状も如何なる形状でもよく使用に適した形状とすればよい。例えば、平板状にしてもよい。さらには、マグネットに通孔や窪みまた突起等を形成してもよい。
【００１５】
ヨークプレートとは、磁着可能な金属から形成されている部材であり、マグネットの磁着力と磁着性を向上させるために設けられ、それは、マグネットに磁着させ、且つマグネットよりも突出させて設けるのがよい。すなわち、マグネットを金属に磁着させる際、マグネット本体ではなくマグネットの磁力がヨークプレートに作用しそのヨークプレートのマグネットから突出するプレート端部が金属に磁着するのである。マグネットは、ヨークプレートに挟まれて位置する。
【００１６】
プレート端部とは、ヨークプレートの金属に磁着するプレートの端部である。そのヨークプレートを形成する磁着可能な金属素材も特に限定するものではなく好適なものを用いればよい。また、マグネットより突出させる突出長も特に限定するものではなく、巻尺の形態によって僅かな突出としたりまたかなりの長さ突出させてもよい。
【００１７】
そして、ヨークプレートのマグネットへの配置形態においては、ヨークプレートの任意のプレートを、マグネットのケースへの取り付け面の両側からマグネットより突出させて設ける。すなわち、ヨークプレートはマグネットを挟んだ状態に配置される。また、ヨークプレートはマグネットの磁力によって磁着するだけでもよい。ヨークプレートとマグネットはほぼ同一の長さがよい。
【００１８】
また、ヨークプレートの形状も特に限定するものではなく、例えば、平板状としたり、コ字状に形成してもよい。コ字状とした場合は、その中央部分をマグネットに磁着させればよい。また、その中央部と共に、その両側に形成されたそれぞれの部位もマグネットに磁着させてもよい。
【００１９】
さらに、ヨークプレートのプレート端部の形状は平坦でもまた凹凸状にしてもよく、その凹凸は略パルス波形のように段を有する形状がよい。勿論、磁着に有効であれば如何なる凹凸の形状であってもよい。
さらには、ヨークプレート全体、あるいは、プレート端部を有するプレートを複数連接して形成して、その連接部分に適当な隙間を設けてもよい。
【００２０】
そして、ヨークプレートとケースとの対応においては、ヨークプレートを備えるマグネットがケースに取り付けられた際は、ヨークプレートのマグネットより突出するプレート端部がケースとほぼ面一にまたはケースより突出するようになっていなければならない。
【００２１】
しかして、ヨークプレートはマグネットに設けるのではなくケースに設けてもよく、この場合、ヨークプレートの任意のプレートのプレート端部はケースとほぼ面一にまたはケースより突出するようになっていなければならない。そして、マグネットがケースの所定の部位に装着された際はヨークプレートの少なくとも一箇所がマグネットと接触（磁着）できるようになっていなければならない。
【００２２】
そして、ヨークプレートの金属に磁着するプレート端部は、ケースの短手方向の両端付近に位置するように設けるのが望ましい。マグネットは、ヨークプレートの間に挟まれて位置する。
【００２３】
マグネットをケースに設置するのに有効な部位は、ケースの底壁および／または後壁がよい。また、マグネットが位置するケースの部位を凹状にし、マグネットが納まるようにしてもよい。
【００２４】
第１の態様においては、底壁および／または後壁に、ヨークプレートに挟まれたマグネットを直接的にまたは間接的に固定する。マグネットの固定方法も特に限定するものではなく、嵌め込み、ネジ止め、インサート、オンサート等によって行えばよい。そして、ヨークプレートのプレート端部は、ケースとほぼ面一またはケースより突出させるのがよい。
また、底壁にマグネットを設けた時、そのヨークプレートのプレート端部は底壁と平行に設け、また、後壁にマグネットを設けた時、そのヨークプレートのプレート端部は底壁と直角に設けるのがよい。
【００２５】
そして、ケースの形状によってはマグネットをケースの前壁および／または天壁にも設けてもよい。また、マグネットをケースの側面にも設けてもよく、そのマグネットは柔軟または硬質の平板状のマグネットでもよく、また、マグネットの適当な部位にヨークプレートを設けてもよい。
【００２６】
第２の態様においては、巻尺にマグネットを１個あるいは２個以上付属させ、そのマグネットを必要に応じてケースの底壁または後壁に着脱自在に装着できるようにする。マグネットは、マグネットのみだけでもよいが、適当な保護部材等を取り付けてもよい。
【００２７】
また、着脱形態も直接的にまたは間接的に行えばよく、その着脱方法も特に限定するものではないが、ケースに装着するマグネットがその磁着力に負けてケースから引き離されないものでなければならない。マグネットの装着の具体的な形態は、ケースの底壁と後壁の境界にそれぞれの装着部へ続く案内口を設けて、その案内口からそれぞれの装着部すなわち底壁および後壁の装着部位にスライドさせて装着させてもよい。装着の際はロックできるようにするのがよい。
【００２８】
そして、底壁および／または後壁に、装着したマグネットと接触するヨークプレートを設けるのがよく、その場合、ヨークプレートの金属と磁着するプレート端部は、ケースの短手方向の両端付近に設け、且つケースとほぼ面一にまたはケースより突出させて設けるのがよい。
底壁にヨークプレートを設けた時、そのヨークプレートのプレート端部は底壁と平行に設け、また、後壁にヨークプレートを設けた時、そのヨークプレートのプレート端部は底壁と直角に設けるのがよい。
【００２９】
また、マグネットにヨークプレートを設けてもよく、その場合、ヨークプレートのプレート端部は、マグネットの装着面の両側からマグネットの端部より突出して設けるのがよい。すなわち、マグネットの外向面はプレート端部より後退して位置する。
そして、マグネットが底壁に装着された時、そのヨークプレートのプレート端部は底壁と平行に、また、後壁にマグネットが装着された時、そのヨークプレートのプレート端部は底壁と直角になるようにするのがよい。
【００３０】
そして、ケースの形状によってはマグネットをケースの前壁および／または天壁に着脱自在に装着できるようにしてもよい。マグネット、ケースの装着部位、ヨークプレートのそれぞれの関係は、マグネットの装着部位が異なるだけであってそれらの関係は上述の説明に準ずる。
また、マグネットをケースの側面に固定的にまたは着脱自在に設けても設けてもよく、そのマグネットは柔軟または硬質の平板状のマグネットでもよく、また、マグネットの適当な部位にヨークプレートを設けてもよい。
【００３１】
第３の態様においては、マグネットの一端をケースの底壁と後壁の境界に軸支し、必要に応じて軸を中心にマグネットを回転させ、底壁または後壁に着脱自在に係着させる。マグネットは、マグネットだけで取り扱ってもよいが適当な保護部材等を取り付けてもよい。マグネットの軸支においては、マグネットを直接にまたは適当な支持部材等を介して軸支すればよい。また、係着形態も直接的にまたは間接的に行えばよく、マグネットの係着方法も特に限定するものではないが、ケースに係着するマグネットがその磁着力に負けてケースから引き離されないものでなければならない。装着はロック可能にするのがよい。
【００３２】
そして、底壁および／または後壁にマグネットが係着された際に、そのマグネットと接触するヨークプレートを設けるのがよく、その場合、ヨークプレートの金属と磁着するプレート端部は、ケースの短手方向の両端付近に設け、且つケースとほぼ面一にまたはケースより突出させて設けるのがよい。
底壁にヨークプレートを設けた時、そのヨークプレートのプレート端部は底壁と平行に設け、また、後壁にヨークプレートを設けた時、そのヨークプレートのプレート端部は底壁と直角に設けるのがよい。
【００３３】
また、マグネットにヨークプレートを設けてもよく、その場合、ヨークプレートのプレート端部は、マグネットの係着面の両側からマグネットのそれぞれの係着面の端部より突出して設けるのがよい。マグネットの係着面はプレート端部より後退して位置する。マグネットは回動してケースの底壁または後壁に係着するため、それぞれの係着部ではマグネットの外向面は表裏が逆となる。
そして、マグネットが底壁に係着された時、そのヨークプレートのプレート端部は底壁と平行に、また、後壁にマグネットが係着された時、そのヨークプレートのプレート端部は底壁と直角となるようにするのがよい。
【００３４】
そして、ケースの形状によっては第２のマグネットを設けて、その第２のマグネットの一端をケースの前壁と天壁の境界に軸支し、必要に応じて軸を中心に第２のマグネットを回転させ、前壁または天壁と着脱自在に係着させてもよい。マグネット、ケースの装着部位、ヨークプレートのそれぞれの関係は、マグネットの装着部位が異なるだけであってそれらの関係は上述の説明に準ずる。
【００３５】
また、マグネットをケースの側面に固定的にまたは着脱自在に設けても設けてもよく、そのマグネットは柔軟または硬質の平板状のマグネットでもよく、また、マグネットの適当な部位にヨークプレートを設けてもよい。
【００３６】
以上のことから、第１の態様では、ケースの底壁下方または後壁後方のいずれかに磁着可能な金属部材がある時、ケースの底壁または後壁のマグネットに備えるヨークプレートのプレート端部が金属部材に磁着する。また、両側のヨークプレートの間が凹所となっているので、磁着面に突起がある場合も跨ぐことができる。そして、マグネットの磁力はヨークプレートを介すことにより強力になる。
【００３７】
第２の態様では、ケースの底壁下方または後壁後方のいずれかに磁着可能な金属部材がある時、付属するマグネットをケースの底壁または後壁に装着することにより、マグネットに備えるヨークプレートのプレート端部が金属部材に磁着する。また、両側のヨークプレートの間が凹所となっているので、磁着面に突起がある場合も跨ぐことができる。そして、マグネットの磁力はヨークプレートを介すことで強力になる。
【００３８】
第３の態様は、ケースの底壁方向または後壁方向のいずれかに磁着可能な金属部材がある時、回動自在に軸支するマグネットをケースの底壁または後壁に係着することにより、係着によってマグネットに備えるヨークプレートのプレート端部が金属部材に磁着する。また、両側のヨークプレートの間が凹所となっているので、磁着面に突起がある場合も跨ぐことができる。そして、マグネットの磁力はヨークプレートを介すことで強力になる。
【００３９】
そして、第１および第２および第３の態様において、金属部材に磁着するプレート端部を有するヨークプレートはケースの短手方向の両端付近にそれぞれ位置しており、また、マグネットの外向面はプレート端部より後退しているのでそのプレートの間には凹所が存在する。従って、ケースにその短手方向の押力が掛かった場合も踏ん張れる。また、ヨークプレート間の金属部材の表面に突起等があってもそれを跨いで磁着できる。
また、プレート端部が凹凸状に形成されているものは、さらに柔軟に金属部材の表面の突起等を避けられる。
【発明の効果】
【００４０】
本発明の巻尺は、マグネットをケースの底壁および／または後壁に固定的に設けた第１の態様、マグネットを付属して底壁または後壁に着脱自在に装着できるようにした第２の態様、マグネットを回動自在にケースに軸支して底壁または後壁のいずれかに係着できるようにした第３の態様のように構成されているので、巻尺を磁着固定しようとする金属部材が、巻尺すなわちケースの底壁が接する水平方向あるいはケースの後壁が接する鉛直方向のいずれかに存在すれば、巻尺をその金属部材に磁着固定することができる。
【００４１】
そして、金属部材に磁着するヨークプレートのプレート端部はケースの短手方向の両端付近にそれぞれ位置しており、また、マグネットの外向面はヨークプレート端部より後退しているのでヨークプレート間には凹所が存在する。従って、ケースにその短手方向の押力が掛かった場合も踏ん張ることができ、また、ヨークプレート間の金属部材の表面に突起等があってもそれを跨跨ぐことができる。すなわち、突起等を避けて磁着することができる。そして、ヨークプレートのプレート端部が凹凸状に形成されているものは、さらに柔軟に金属部材の表面の突起等を避けることができる。
【００４２】
本巻尺は、平面は勿論のこと、円柱材や金属パイプの表面にも確実に磁着することができる。従って、鉄骨や金属パイプ等の金属部材を取り扱う現場の作業者が望んでいる巻尺を提供することができ、何より、高所作業での巻尺の落下防止に極めて高い効果が発揮されるものである。
【発明を実施するための最良の形態】
【００４３】
本発明の巻尺を以下図面に従って説明すると、図１は、第１の形態の巻尺を示す図であり、左図は巻尺の側面図、右図は巻尺の後面図である。
１は巻尺のケース、２はケース１の底壁、３はケース１の後壁、４はケース１の前壁である。また、１３は測定用のテープ、１４は係止片である。６はマグネット、６１はマグネット６の外向面、７はヨークプレート、７１はヨークプレート７のプレート端部である。図では示していないがヨーク７はマグネット６に磁着状態で設けられている。
【００４４】
図２は、第２の形態の巻尺を示す図であり、左図は巻尺の側面図、右図は巻尺の後面図である。
１は巻尺のケース、２はケース１の底壁、３はケース１の後壁、４はケース１の前壁である。また、１３は測定用のテープ、１４は係止片である。６ａはマグネット、８はマグネット６ａが装着される装着部である。図では示していないが、マグネット６ａに適当な保護部材等を設けてもよい。
【００４５】
図３は、マグネットが装着された図２の巻尺を示す図であり、図（ａ）は、マグネット６ａをケース１の底壁２に装着したものである。図（ｂ）は、マグネット６ａをケース１の後壁３に装着したものである。７ａはヨークプレート、７１はヨークプレート７ａのプレート端部で、ケース１より突出して位置する。図では示していないがヨーク７ａはマグネット６ａに磁着状態で設けられている。
【００４６】
図４は、図２の巻尺のマグネットの装着の一例を示す図であり、ケース１の底壁２と後壁３の境からマグネット６ａを底壁２の装着部または後壁３の装着部８にスライド装着するものである。左図はケース１の底壁２の装着部８へスライド装着する図、右図はケース１の後壁３の装着部８へスライド装着する図である。
【００４７】
図５は、図４のマグネットのスライド装着構造の一例を示す図であり、巻尺のケース１に形成された突条１ａと、マグネット６ａおよびヨークプレート７ａを支持する支持部材９に形成された溝９とが係合されて、マグネット６ａ（マグネット６ａＡＳＳＹ）をケース１の底壁２の装着部または後壁３の装着部８へスライド装着させる。６１はマグネット６ａの外向面、７ａはヨークプレート、７１はヨークプレート７aのプレート端部である。図では、突条１ａと溝９との係合に隙間があるが、勿論、この隙間はスライド装着可能であればあってもなくてもよい。
【００４８】
図６は、第３の形態の巻尺を示す図であり、左図は巻尺の側面図、右図は巻尺の後面図である。
１は巻尺のケース、２はケース１の底壁、３はケース１の後壁、４はケース１の前壁である。また、１３は測定用のテープ、１４は係止片である。６ｂはマグネット、１０はマグネット６ｂが係着される係着部である。１１はマグネット６ｂを支持する支持アーム、１２は支持アームの軸で、支持アーム１１はこの軸１２を支点に底壁２側および後壁３側に回動する。図は、マグネット６ｂを支持アーム１１を介して軸支している。図では示していないが、マグネット６ｂに適当な保護部材等を設けてもよい。
【００４９】
図７は、マグネットが係着された図６の巻尺を示す図であり、図（ａ）は、マグネット６ｂをケース１の底壁２に係着したものである。図（ｂ）は、マグネット６ｂをケース１の後壁３に係着したものである。７ｂはヨークプレート、７１はヨークプレート７ｂのプレート端部で、ケース１より突出して位置する。図では示していないがヨーク７ｂはマグネット６ｂに磁着状態で設けられている。
【００５０】
図８は、ケースにヨークプレートを設けた際の概略図である。本図は、図２の巻尺を例に上げている。
図（ａ）は、平板状のヨークプレート７ａを２枚設けたものであり、ヨークプレート７ａは装着部８内の短手方向の両端に固定され、それぞれのヨークプレート７ａのプレート端部７１がケース１から突出して位置する。６１はマグネット６ａの外向面、そして、マグネット６ａを装着する時はそれぞれのヨークプレート７ａの間に、且つヨーク７ａに接触させて装着する。
図（ｂ）は、装着部８内に略嵌合するコ字状のヨークプレート７ｃを設けたものであり、ヨークプレート７ｃのプレート端部７１がケース１から突出して位置する。６１はマグネット６ａの外向面、そして、マグネット６ａを装着する時はヨークプレート７ｃの間に、且つヨーク７ｃに接触させて装着する。
【００５１】
図９は、マグネットにヨークプレートを設けた際の概略図である。本図は、図２の巻尺を例にあげている。
図（ａ）は、平板状のヨークプレート７ａをマグネット６ａの両側に２枚設けたものである。６１はマグネット６ａの外向面、７１はヨークプレート７ａのプレート端部である。そして、マグネット６ａが装着部８に装着されると、ヨークプレート７ａのプレート端部７２がケース１から突出して位置する。
図（ｂ）は、コ字状のヨークプレート７ｃをマグネット６ａに設けたものである。そして、６１はマグネット６ａの外向面、７１はヨークプレート７ｃのプレート端部である。そして、マグネット６ａが装着部８に装着されると、ヨークプレート７ｃのプレート端部７１がケース１から突出して位置する。
【００５２】
図１０は、他の第１の形態の巻尺を示す図であり、ケースを周回する面、すなわち、底壁２、後壁３、前壁４、天壁５のそれぞれにマグネット６を固定的に設けたものである。７１はヨークプレート７のプレート端部である。図では示していないがヨークプレート７はマグネット６に磁着状態で設けられている。
【００５３】
図１１は、他の第２の形態の巻尺を示す図であり、巻尺にマグネット６ａを付属させ、図は２個付属させており、そのマグネット６ａがケース１を周回する面に、すなわち、底壁２、後壁３、前壁４、天壁５のそれぞれに着脱自在に装着できるようにしたものである。
【００５４】
図１２は、他の第３の形態の巻尺を示す図であり、マグネット６ｂをケース１の底壁２と後壁３の境界および前壁４と天壁５の境界のそれぞれに軸支し、必要に応じて軸を中心にマグネット６ｂを回転させ、底壁または後壁および前壁４と天壁５に着脱自在に係着できるようにしたものである。
【００５５】
図１３は、他の第１／第２／第３に係る形態の巻尺を示す図であり、本図は、第２の形態の巻尺を例に上げたもので、プレート状のマグネット６ｃをケース１の両側面（両側壁）にそれぞれ設けたものである。
【図面の簡単な説明】
【００５６】
【図１】第１の形態の巻尺を示す図
【図２】第２の形態の巻尺を示す図
【図３】マグネットが装着された図２の巻尺を示す図
【図４】図２の巻尺のマグネットの装着の一例を示す図
【図５】図４のマグネットのスライド装着構造の一例を示す図
【図６】第３の形態の巻尺を示す図
【図７】マグネットが係着された図６の巻尺を示す図
【図８】ケースにヨークプレートを設けた際の概略図
【図９】マグネットにヨークプレートを設けた際の概略図
【図１０】他の第１の形態の巻尺を示す図
【図１１】他の第２の形態の巻尺を示す図
【図１２】他の第３の形態の巻尺を示す図
【図１３】他の第１／第２／第３に係る形態の巻尺を示す図
【符号の説明】
【００５７】
１−ケース，１ａ−突条，２−底壁，３−後壁，４−前壁，５−天壁，６／６ａ／６ｂ／６ｃ−マグネット，６１−外向面，７／７ａ／７ｂ／７ｃ−ヨークプレート，７１−プレート端部，８−装着部，９−支持部材，９ａ−溝，１０−係着部，１１−支持アーム，１２−軸，１３−テープ，１４−係止片
【図１】
2005164484.tif 000003
【図２】
2005164484.tif 000004
【図３】
2005164484.tif 000005
【図４】
2005164484.tif 000006
【図５】
2005164484.tif 000007
【図６】
2005164484.tif 000008
【図７】
2005164484.tif 000009
【図８】
2005164484.tif 000010
【図９】
2005164484.tif 000011
【図１０】
2005164484.tif 000012
【図１１】
2005164484.tif 000013
【図１２】
2005164484.tif 000014
【図１３】
2005164484.tif 000015